(57)【要約】      （修正有）【課題】風船購入者が風船の製造過程に参加できると共に風船本体が膨張して風船ケースが割れて開くインパクトのある様子を提供でき、さらに風船ケースを把持体として再利用できる風船自動販売機及び風船自動販売機で販売される風船を提供する。【解決手段】風船自動販売機１０の気体注入部２６の下方には風船ケースに折り畳まれた状態で収容された風船本体２４を膨張させる気体注入装置が配設されている。気体注入装置には気体注入ノズルが取り付けられている。また、ノズル移動体にはバルブロックプレートが配設されている。風船は、風船本体と、風船本体を収容する風船ケースと、風船バルブと、風船本体と風船ケースとを連結する紐と、から構成されている。【選択図】図１
0003197031.tif 000002
【実用新案登録請求の範囲】
【請求項１】
風船を販売する風船自動販売機であって、この風船自動販売機の装置本体収容部の前面に設けられると共に風船の風船本体に気体を注入して風船本体を膨張させる気体注入部と、この気体注入部の下方に配設されると共に風船ケースに収容された風船本体を膨張させる気体注入装置と、この気体注入装置に設けられると共に上下方向に移動可能なノズル移動体と、このノズル移動体に形成されたノズル取付部と、このノズル取付部に上下方向に向かって設けられた気体注入ノズルと、前記ノズル取付部に取り付けられた第１スイッチと、前記気体注入装置の上端面に設けられたテーブルプレートと、このテーブルプレートに貫通形成されると共に前記風船の風船ケースが挿入される風船ケース挿入開口部と、前記ノズル移動体に設けられると共にノズル移動体に従って上下方向に移動可能なスイッチ切替体と、前記気体注入装置に設けられた第２スイッチと、前記気体注入装置に設けられた前記第２スイッチの下方に設けられた第３スイッチと、を有してなることを特徴とする風船自動販売機。
【請求項２】
風船を販売する風船自動販売機であって、この風船自動販売機の一側部に設けられると共に販売する風船をストックする風船ストック部と、前記風船自動販売機の他側部に設けられた装置本体収容部と、前記風船ストック部に形成されると共に前記風船が排出される風船排出部と、前記風船ストック部の前面部に設けられると共に風船を陳列する風船サンプルケース部と、前記装置本体収容部の前面に設けられると共に風船の風船本体に気体を注入して風船本体を膨張させる気体注入部と、この気体注入部の下方に配設されると共に風船ケースに収容された風船本体を膨張させる気体注入装置と、この気体注入装置に設けられると共に上下方向に移動可能なノズル移動体と、このノズル移動体に形成されたノズル取付部と、このノズル取付部に上下方向に向かって設けられた気体注入ノズルと、前記ノズル取付部に取り付けられた第１スイッチと、前記気体注入装置の上端面に設けられたテーブルプレートと、このテーブルプレートに貫通形成されると共に前記風船の風船ケースが挿入される風船ケース挿入開口部と、前記ノズル移動体に設けられると共にノズル移動体に従って上下方向に移動可能なスイッチ切替体と、前記気体注入装置に設けられた第２スイッチと、前記気体注入装置に設けられた前記第２スイッチの下方に設けられた第３スイッチと、を有してなることを特徴とする風船自動販売機。
【請求項３】
風船を販売する風船自動販売機であって、この風船自動販売機の一側部に設けられると共に販売する風船をストックする風船ストック部と、前記風船自動販売機の他側部に設けられた装置本体収容部と、前記風船ストック部に形成されると共に前記風船が排出される風船排出部と、前記風船ストック部の前面部に設けられると共に風船を陳列する風船サンプルケース部と、前記装置本体収容部の前面に設けられると共に風船の風船本体に気体を注入して風船本体を膨張させる気体注入部と、この気体注入部の下方に配設されると共に風船ケースに収容された風船本体を膨張させる気体注入装置と、この気体注入装置に設けられると共に上下方向に移動可能なノズル移動体と、このノズル移動体に形成されたノズル取付部と、このノズル取付部に上下方向に向かって設けられた気体注入ノズルと、前記ノズル取付部に取り付けられた第１スイッチと、前記ノズル移動体に前後方向に移動可能に設けられたバルブロックプレートと、このバルブロックプレートに形成されて風船の風船バルブをロック可能なロック開口部と、前記気体注入装置の上端面に設けられたテーブルプレートと、このテーブルプレートに貫通形成されると共に前記風船の風船ケースが挿入される風船ケース挿入開口部と、前記ノズル移動体に設けられると共にノズル移動体に従って上下方向に移動可能なスイッチ切替体と、前記気体注入装置に設けられた第２スイッチと、前記気体注入装置に設けられた前記第２スイッチの下方に設けられた第３スイッチと、を有してなることを特徴とする風船自動販売機。
【請求項４】
風船自動販売機で販売される風船であって、気体を注入されると膨張可能な風船本体と、この風船本体を収容すると共に第１ケース片と第２ケース片を備えた風船ケースと、前記風船本体の気体注入筒部に挿入される風船バルブと、前記風船本体と前記風船ケースを連結する紐と、を有してなることを特徴とする風船。
【請求項５】
風船自動販売機で販売される風船であって、気体を注入されると膨張可能な風船本体と、この風船本体を折り畳んだ状態で収容すると共に中央折曲線を中心として開く第１ケース片と第２ケース片を備えた風船ケースと、前記風船本体の気体注入筒部に挿入される風船バルブと、前記風船本体と前記風船ケースを連結する紐と、を有してなることを特徴とする風船。
【請求項６】
前記風船ケースに把持部と、指挿通部と、風船本体収容部と、バルブ挿通部と、ケース片係止部と、を設けたことを特徴とする請求項４、請求項５のいずれか１項に記載された風船。
【考案の詳細な説明】
【技術分野】
【０００１】
本考案は、主にテーマパーク、遊園地、ショッピングモール、ゲームセンター等の多数の子供達が遊びに行く場所に設置される風船自動販売機及びその風船自動販売機で販売される風船に関する。
【背景技術】
【０００２】
テーマパーク、遊園地、ショッピングモール、ゲームセンター等の多数の子供達が遊びに行く場所に設置されて風船を販売する風船自動販売機が提案されている。
この風船自動販売機は、料金を投入すると風船自動販売機内でヘリウムガス等を風船に注入して風船を膨張させて、膨張した風船が自動的に提供されるものである（特許文献１）。
このため、風船購入者は風船が膨張して行く様子を見ることができず、風船購入者は風船が膨張する間、風船自動販売機の前で単に待つだけであり、退屈であった。
そこで、購入した風船にヘリウムガス等が注入されて風船が徐々に膨張して行く様子を風船購入者が観察することができる風船自動販売機が提供されている（特許文献２）。
このタイプの風船自動販売機は風船が気体注入装置にセットされると風船自動販売機に内蔵されているガスボンベから風船内にヘリウムガス等が注入されて風船が徐々に膨張する様子を見ることができる。
しかし、ヘリウムガス等が風船に注入されて風船が徐々に膨張する様子は、風船購入者が予め予想できる範囲内であるため斬新さに欠けると共に風船購入者にインパクトを与えることができない。
また、従来、販売される風船の紐の下端部には把持体が設けられていないので、紐を持ち難く、何かの拍子で紐を持っている指から力が抜けたりするとヘリウムガス等によって風船が上空に高く舞い上がってしまって折角購入した風船を失ってしまうという不具合がある。
さらに、風船自動販売機で風船を風船ケースに収容した状態で販売すると、風船ケースから風船を取り出した後は風船ケースが不要になりゴミ箱に廃棄する等するためゴミ箱が必要になる。
【先行技術文献】
【特許文献】
【０００３】
【特許文献１】特開平６−３３７９８５号公報
【特許文献２】特開２００２−３３４３７１号公報
【考案の概要】
【考案が解決しようとする課題】
【０００４】
本考案は、上記事実に鑑みなされたものであり、風船購入者が風船の製造過程の一部に参加できると共に風船本体が膨張して風船本体を収容した風船ケースが割れて開く斬新でインパクトのある様子を提供でき、さらに風船を持つ場合に風船ケースを把持体として再利用することができる風船自動販売機及び風船自動販売機で販売される風船を提供するものである。
【課題を解決するための手段】
【０００５】
請求項１の考案は、風船を販売する風船自動販売機であって、この風船自動販売機の装置本体収容部の前面に設けられると共に風船の風船本体に気体を注入して風船本体を膨張させる気体注入部と、この気体注入部の下方に配設されると共に風船ケースに収容された風船本体を膨張させる気体注入装置と、この気体注入装置に設けられると共に上下方向に移動可能なノズル移動体と、このノズル移動体に形成されたノズル取付部と、このノズル取付部に上下方向に向かって設けられた気体注入ノズルと、前記ノズル取付部に取り付けられた第１スイッチと、前記気体注入装置の上端面に設けられたテーブルプレートと、このテーブルプレートに貫通形成されると共に前記風船の風船ケースが挿入される風船ケース挿入開口部と、前記ノズル移動体に設けられると共にノズル移動体に従って上下方向に移動可能なスイッチ切替体と、前記気体注入装置に設けられた第２スイッチと、前記気体注入装置に設けられた前記第２スイッチの下方に設けられた第３スイッチと、を有してなることを特徴としている。
請求項２の考案は、風船を販売する風船自動販売機であって、この風船自動販売機の一側部に設けられると共に販売する風船をストックする風船ストック部と、前記風船自動販売機の他側部に設けられた装置本体収容部と、前記風船ストック部に形成されると共に前記風船が排出される風船排出部と、前記風船ストック部の前面部に設けられると共に風船を陳列する風船サンプルケース部と、前記装置本体収容部の前面に設けられると共に風船の風船本体に気体を注入して風船本体を膨張させる気体注入部と、この気体注入部の下方に配設されると共に風船ケースに収容された風船本体を膨張させる気体注入装置と、この気体注入装置に設けられると共に上下方向に移動可能なノズル移動体と、このノズル移動体に形成されたノズル取付部と、このノズル取付部に上下方向に向かって設けられた気体注入ノズルと、前記ノズル取付部に取り付けられた第１スイッチと、前記気体注入装置の上端面に設けられたテーブルプレートと、このテーブルプレートに貫通形成されると共に前記風船の風船ケースが挿入される風船ケース挿入開口部と、前記ノズル移動体に設けられると共にノズル移動体に従って上下方向に移動可能なスイッチ切替体と、前記気体注入装置に設けられた第２スイッチと、前記気体注入装置に設けられた前記第２スイッチの下方に設けられた第３スイッチと、を有してなることを特徴としている。
請求項３の考案は、風船を販売する風船自動販売機であって、この風船自動販売機の一側部に設けられると共に販売する風船をストックする風船ストック部と、前記風船自動販売機の他側部に設けられた装置本体収容部と、前記風船ストック部に形成されると共に前記風船が排出される風船排出部と、前記風船ストック部の前面部に設けられると共に風船を陳列する風船サンプルケース部と、前記装置本体収容部の前面に設けられると共に風船の風船本体に気体を注入して風船本体を膨張させる気体注入部と、この気体注入部の下方に配設されると共に風船ケースに収容された風船本体を膨張させる気体注入装置と、この気体注入装置に設けられると共に上下方向に移動可能なノズル移動体と、このノズル移動体に形成されたノズル取付部と、このノズル取付部に上下方向に向かって設けられた気体注入ノズルと、前記ノズル取付部に取り付けられた第１スイッチと、前記ノズル移動体に前後方向に移動可能に設けられたバルブロックプレートと、このバルブロックプレートに形成されて風船の風船バルブをロック可能なロック開口部と、前記気体注入装置の上端面に設けられたテーブルプレートと、このテーブルプレートに貫通形成されると共に前記風船の風船ケースが挿入される風船ケース挿入開口部と、前記ノズル移動体に設けられると共にノズル移動体に従って上下方向に移動可能なスイッチ切替体と、前記気体注入装置に設けられた第２スイッチと、前記気体注入装置に設けられた前記第２スイッチの下方に設けられた第３スイッチと、を有してなることを特徴としている。
請求項４の考案は、風船自動販売機で販売される風船であって、気体を注入されると膨張可能な風船本体と、この風船本体を収容すると共に第１ケース片と第２ケース片を備えた風船ケースと、前記風船本体の気体注入筒部に挿入される風船バルブと、前記風船本体と前記風船ケースを連結する紐と、を有してなることを特徴としている。
請求項５の考案は、風船自動販売機で販売される風船であって、気体を注入されると膨張可能な風船本体と、この風船本体を折り畳んだ状態で収容すると共に中央折曲線を中心として開く第１ケース片と第２ケース片を備えた風船ケースと、前記風船本体の気体注入筒部に挿入される風船バルブと、前記風船本体と前記風船ケースを連結する紐と、を有してなることを特徴としている。
請求項６の考案は、前記風船ケースに把持部と、指挿通部と、風船本体収容部と、バルブ挿通部と、ケース片係止部と、を設けたことを特徴としている。
【考案の効果】
【０００６】
本考案は、風船購入者は風船本体を膨張させる場合に風船バルブに気体注入ノズルを差し込むので風船を製造する工程の一部に参加できると共に風船を製造する楽しさを味わうことができるという優れた効果を有する。
本考案は、風船本体が膨張すると風船本体を収容している風船ケースが割れるように開くので、風船購入者は単に風船本体が膨張して行く様子を見るだけでなく、風船ケースがダイナミックに割れて開くインパクトのある様子を見ることができるという優れた効果を有する。
本考案は、風船購入者に風船ケースがダイナミックに割れて開くインパクトある様子を見せることができるので風船本体が膨張するまでの待ちの時間を退屈させないという優れた効果を有する。
本考案は、風船を持つ場合に風船ケースを把持体として使用できるので風船が上空に舞い上がって飛び去ってしまうことを防止できるという優れた効果を有する。
本考案は、風船ケースを把持体として再利用できるので、風船ケースをゴミとして廃棄することを防止すると共に風船ケースを廃棄するゴミ箱を風船自動販売機周辺に設置しなくても済むという優れた効果を有する。
【図面の簡単な説明】
【０００７】
【図１】実施例の風船自動販売機の全体斜視図である。
【図２】実施例の風船自動販売機の気体注入部扉を開けた状態の全体斜視図である。
【図３】実施例の風船自動販売機の気体注入装置の斜視図である。
【図４】実施例の風船自動販売機の気体注入装置を上方から見た斜視図である。
【図５】実施例の風船自動販売機の気体注入装置で風船ケースに収容された風船本体を膨張させる手順を示す概略説明図である。
【図６】実施例の風船自動販売機の気体注入装置で風船ケースに収容された風船本体を膨張させる手順を示す概略説明図である。
【図７】実施例の風船自動販売機の気体注入装置で風船ケースに収容された風船本体を膨張させる手順を示す概略説明図である。
【図８】実施例の風船自動販売機の気体注入装置で風船ケースに収容された風船本体を膨張させる手順を示す概略説明図である。
【図９】実施例の風船自動販売機の気体注入装置で風船ケースに収容された風船本体を膨張させる手順を示す概略説明図である。
【図１０】実施例の風船自動販売機で販売される風船の正面図である。
【図１１】実施例の風船自動販売機で販売される風船の風船ケースの展開図である。
【図１２】実施例の風船自動販売機で販売される風船本体を収容した風船ケースが開いていく状態を示す概略説明図である。
【考案を実施するための形態】
【０００８】
考案を実施するために最良の形態の例として以下のような実施例を示す。
【実施例１】
【０００９】
図１〜図１２には本考案に係る風船自動販売機及び風船自動販売機で販売される風船の一実施例が示されている。
【００１０】
図１及び図２には風船自動販売機及び風船自動販売機で販売される風船に適用される風船自動販売機１０が示されている。
この風船自動販売機１０の一側部には風船自動販売機１０で販売する風船１２（図１０参照）をストックする風船ストック部１４が設けられ、前記風船自動販売機１０の他側部には装置本体収容部１６が連続して設けられている。
【００１１】
前記風船ストック部１４の下部正面には風船排出口１８が開口形成され、前記装置本体収容部１６の前面に形成された料金投入口２０に風船購入料金を投入して選択決定ボタン２１を押すと風船ストック部１４に保管されている風船１２が風船排出口１８に排出されてくるようになっている。
【００１２】
前記風船ストック部１４の前面部の上下方向下中間部から上部にかけては風船サンプルケース部２２が設けられている。この風船サンプルケース部２２は透明なガラス板でカバーされており、風船サンプルケース部２２に膨張状態で陳列されている風船１２の風船本体２４を見ることができるようになっている。
【００１３】
前記風船サンプルケース部２２には前記風船自動販売機１０で購入できる伝統的な球状の風船本体２４やアニメキャラクター、動物等を模ったりデザインした風船本体２４が複数個（実施例では６個）サンプルとして膨張した状態で陳列されている。
【００１４】
前記装置本体収容部１６の前面部の上下方向中間部から上部にかけては風船１２の風船本体２４に気体を注入して風船本体２４を膨張させる室状の気体注入部２６が設けられている。
図１に示されるように、この気体注入部２６の前面は透明なアクリル板で形成された平面視円弧状の気体注入部扉２８によってカバーされ、気体注入部２６の内部の様子を外部から見ることができるようになっている。なお、上述のように気体注入部扉２８は透明であるが、気体注入部扉２８の存在を明瞭にするため図１において気体注入部２６内部が見えないように作図している。
前記気体注入部扉２８は扉用モーター（図示せず）によって周方向に回転することにより前記気体注入部２６の入口を開けたり閉めたりできるようになっている。
従って、気体注入部扉２８を開けると気体注入部２６に風船ケース３０（図１０参照）に風船本体２４が収容された状態の風船１２を入れたり、風船本体２４が膨張した風船１２を取り出したりできるようになっている。
【００１５】
図２に示されるように、気体注入部２６の背面には表示モニター３２が設けられている。この表示モニター３２には前記風船サンプルケース部２２でスペースの関係上陳列できなかった風船本体２４を含め風船自動販売機１０で販売する全ての風船１０の風船本体２４を表示するようになっている。
従って、風船購入者は表示モニター３２に表示されている複数の風船本体２４を見て、購入したいデザインの風船１２を選択することができる。
さらに、前記気体注入部２６のルーフ部３４の内側面にはライト（図示せず）が取り付けられており、気体注入部２６の内部を任意の色にライティングできるようになっている。
【００１６】
前記気体注入部２６の底面板３６には底面板開口部３８が貫通形成されている。
前記気体注入部２６の下方には風船ケース３０に折り畳まれた状態で収容された風船本体２４を膨張させる気体注入装置４０（図３、図４参照）が配設されている。
【００１７】
図３及び図４に示されるように、前記気体注入装置４０のケーシング４２の内部には上下方向に沿ってネジが形成された回転シャフト（図示せず）が立設されている。この回転シャフトにはノズル移動体４４が上下方向移動可能に取り付けられており、回転シャフトが正回転するとノズル移動体４４は上方向に移動し、回転シャフトが逆回転するとノズル移動体４４は下方向に移動するようになっている。
【００１８】
図３に示されるように、このノズル移動体４４の先端部は前記ケーシング４２の正面側に突出して設けられている。
前記ノズル移動体４４の先端部にはノズル取付部４６が形成され、このノズル取付部４６には気体注入ノズル４８が上下方向に向かって立設されている。この気体注入ノズル４８の上端部はテーパー部４８Ａが形成され風船本体２４に着脱可能に取り付けられる後述する風船バルブに挿入し易く形成されている。
【００１９】
図５に示されるように、前記気体注入ノズル４８の下端部には気体ホース５０の先端部が連結されている。この気体ホース５０の基端部は装置本体収容部１６に内設されたガスボンベ（図示せず）に連結されている。なお、この実施例では風船１２の風船本体２４に注入される気体としてヘリウムガスが使用されているので、前記ガスボンベにはヘリウムガスが充填されている。
また、前記気体ホース５０の中間部には気体注入センサー５１が設けられている。この気体注入センサー５１は風船本体２４にヘリウムガスを所定量注入すると感知するようになっている。
【００２０】
図３に示されるように、前記ノズル取付部４６には第１スイッチ５２が取り付けられている。
図４に示されるように、前記ノズル移動体４４にはバルブロックプレート５４が前方向（図４矢印Ａ方向）及び後方向（図４矢印Ｂ方向）にスライド可能に配設されている。このバルブロックプレート５４の先端部にはロック開口部５６が切り欠き形成されている。なお、バルブロックプレート５４の前後方向の移動は前記第１スイッチ５２によって制御されるようになっている。
【００２１】
図５に示されるように、前記ノズル移動体４４には前記バルブロックプレート５４を前後方向（図５左右方向）にスライドさせるソレノイド６０が配設されている。
【００２２】
図４に示されるように、前記気体注入装置４０のケーシング４２の上端面にはフラット状のテーブルプレート６２が設けられている。このテーブルプレート６２は前記気体注入部２６の底面板開口部３８に嵌まり込むようになっている（図２参照）。
前記テーブルプレート６２には逆Ｔ字状の風船ケース挿入開口部６４が貫通形成されている。
【００２３】
図３に示されるように、前記テーブルプレート６２の前側の下面には風船ケース挿入開口部６４を囲うように風船ケースガイド筒６６が垂下された状態で固定されている。
この風船ケースガイド筒６６の背面には開放部が形成されており、前記ノズル移動体４４が風船ケースガイド筒６６に邪魔されず風船ケースガイド筒６６内を上下動できるようになっている。
前記ノズル移動体４４の下部にはスイッチ切替体取付板６８が固定されている。従って、このスイッチ切替体取付板６８はノズル移動体４４に従って上下動するようになっている。
また、前記スイッチ切替体取付板６８の一側にはスイッチ切替体７０が固定されている。
【００２４】
前記ケーシング４２の側面には第２スイッチ７２と第３スイッチ７４が上下方向に間隔を開けて設けられている。この第２スイッチ７２と第３スイッチ７４は前記ノズル移動体
４４の上下方向の移動を制御するようになっている。前記第２スイッチ７２には前記スイッチ切替体７０が接触して押圧する接触部７２Ａが形成されている。また、第３スイッチ７４にも前記スイッチ切替体７０が接触して押圧する接触部７４Ａが形成されている。
これら接触部７２Ａ、接触部７４Ａが前記スイッチ切替体７０に押圧されることにより、第２スイッチ７２と第３スイッチ７４のオンとオフが切り替えられるようになっている。
【００２５】
図１０には前記風船自動販売機１０で販売される前記風船１２が示されている。
この風船１２は、ビニール製の前記風船本体２４と、この風船本体２４を折り畳んだ状態で収容する前記風船ケース３０と、風船本体２４の気体注入筒部２４Ａに嵌入される合成樹脂製の風船バルブ７６と、風船本体２４と風船ケース３０とを連結する紐７８（図１２参照）と、から構成されている。
【００２６】
前記風船本体２４に形成された気体注入筒部２４Ａの近くの風船本体２４内部には逆止弁（図示せず）が内設され、注入されたヘリウムガスが風船本体２４から漏れるのを防止している。
【００２７】
前記風船ケース３０は透明なブリスターケースで形成されている。風船ケース３０には掌で握る把持部８０、指を挿通させる指挿通部８２、折り畳んだ風船本体２４が収容される風船本体収容部８４、風船バルブ７６が挿通するバルブ挿通部８６、ケース片係止部８８が一体形成されている。
【００２８】
図１１に示されるように風船ケース３０は中央折曲線３０Ａを介して第１ケース片９０と第２ケース片９２を有している。
前記第１ケース片９０には前記把持部８０を形成する把持部第１形成部８０Ａと、前記指挿通部８２を形成する指挿通第１孔部８２Ａと、前記風船本体収容部８４を形成する風船収容部第１形成部８４Ａと、前記バルブ挿通部８６を形成するバルブ挿通部第１形成部８６Ａと、前記ケース片係止部８８を形成する凹状の係止部第１部８８Ａ，８８Ａ，８８Ａ，８８Ａが形成されている。
【００２９】
また、前記第２ケース片９２には把持部第１形成部８０Ａと対応して前記把持部８０を形成する把持部第２形成部８０Ｂと、指挿通第１孔部８２Ａと対応して前記指挿通部８２を形成する指挿通第２孔部８２Ｂと、風船収容部第１形成部８４Ａと対応して前記風船本体収容部８４を形成する風船収容部第２形成部８４Ｂと、バルブ挿通部第１形成部８６Ａと対応して前記バルブ挿通部８６を形成するバルブ挿通部第２形成部８６Ｂと、係止部第１部８８Ａと対応して前記ケース片係止部８８を形成する凸状の係止部第２部８８Ｂ，８８Ｂ，８８Ｂ，８８Ｂが形成されている。
【００３０】
図１０に示されるように、前記風船バルブ７６には先端部にはテーパー状の風船挿入部７６Ａが形成されている。また、風船バルブ７６の基端部外には膨出部７６Ｂ，７６Ｂに挟まれてロックプレート係止凹部７６Ｃが形成されている。
この膨出部７６Ｂ，７６Ｂの外径寸法は前記ロック開口部５６の幅寸法よりも大きく形成されているが、ロックプレート係止凹部７６Ｃの外径寸法は前記ロック開口部５６の幅寸法よりも小さく形成されている。従って、バルブロックプレート５４のロック開口部５６に風船バルブ７６が入ると風船バルブ７６は前記バルブロックプレート５４にロックされるようになっている。
【００３１】
図１２に示されるように前記風船１２の風船本体２４には前記紐７８の一端部７８Ａが連結され、紐７８の他端部７８Ｂは前記風船本体２４を収容する前記風船ケース３０の風船収容部８４の内側面に連結されている。
【００３２】
次に実施例の風船自動販売機及び風船自動販売機で販売される風船の作用について説明する。
風船自動販売機１０で風船１２を購入する場合は、風船購入者は風船自動販売機１０の表示モニター３２に表示されている複数の風船本体２４を見て、購入したいデザインの風船１２を決定する。
そして、風船購入者は料金を料金投入口２０に投入して、購入する風船１２の選択決定ボタン２１を押すと、選択された風船１２が風船排出口１８から排出される。
また、風船自動販売機１０の気体注入部２６においては扉開閉モーターが駆動して気体注入部扉２８が開く。
風船購入者は、風船排出口１８から排出された風船１２の風船ケース３０を気体注入部２６の内部に入れて風船ケース３０を風船ケース挿入開口部６４に差し込んで（図１２（Ａ）参照）、さらに風船ケース３０を奥に差し込んで気体注入ノズル４８を風船バルブ７６に挿入する（図１２（Ｂ）参照）。
この風船ケース３０を風船ケース挿入開口部６４に差し込んで、気体注入ノズル４８を風船バルブ７６に挿入する作業を行うことにより、風船購入者は風船を製造する工程の一部に参加した実感を得ると共に風船を製造する楽しさを味わうことができる。
前記風船ケース３０を奥に差し込むことにより、気体注入装置４０の第１スイッチ５２が風船ケース３０に押圧されて第１スイッチ５２がオンとなり、ソレノイド６０がオン状態となる。
ソレノイド６０によりバルブロックプレート５４が図４矢印Ａ方向に前進してバルブロックプレート５４のロック開口部５６が風船バルブ７６のロックプレート係止凹部７６Ｃをロックする（図６参照）。なお、この時、前記ソレノイド６０はオン状態を維持している。
一方、回転シャフトが正回転することによりノズル移動体４４が上方に移動しノズル移動体４４と共に上方に移動したスイッチ切替体取付板６８のスイッチ切替体７０が第２スイッチ７２の接触部７２Ａを押圧して第２スイッチ７２をオンにする。これにより、回転シャフトの正回転が停止してノズル移動体４４が停止する（図７参照）。
また、第２スイッチ７２がオンになると前記気体ホース５０、気体注入ノズル４８からヘリウムガスが風船本体２４内に注入されて、風船本体２４が徐々に膨張する（図８、図１２（Ｄ）参照）。
風船本体２４が膨張すると風船本体２４は風船ケース３０の第１ケース片９０と第２ケース片９２を離間方向に押圧するので、係止部第１部８８Ａと係止部第２部８８Ｂが外れてケース片係止部８８の係止が解除される。
これにより、風船ケース３０の第１ケース片９０と第２ケース片９２は中央折曲線３０Ａを中心として割れるように開く（図８、図１２（Ｄ）参照）。そして風船ケース３０は飛ぶようにして風船本体２４から離れる（図１２（Ｅ）参照）。
従って、風船購入者は、単に風船本体２４が膨張して行く様子を見るだけでなく風船ケース３０がダイナミックに割れて風船本体２４から飛ぶ斬新でインパクトのある様子をワクワクハラハラしながら見ることができる。
また、風船購入者は風船ケース３０がダイナミックに割れて開くインパクトある様子をワクワクハラハラしながら見ているので風船本体２４が膨張するまでの待ちの時間を退屈しない。
前記風船本体２４にヘリウムガスが所定量注入されて風船本体２４が球状に膨張すると（図９参照）、気体注入センサー５１が感知してヘリウムガスの注入を停止させる。
そして、前記回転シャフトが逆回転することによりノズル移動体４４が下方に移動を開始する。
このため膨張した風船本体２４の下端面がテーブルプレート６２と当接し、風船本体２４は下方に移動できなくなって風船バルブ７６が風船本体２４の気体注入筒部２４Ａから抜ける。これにより、風船本体２４はヘリウムガスにより気体注入部２６内を上昇するが、気体注入部２６のルーフ部３４によって高く舞い上がるのを阻止される（図１２（Ｆ）参照）。
なお、ノズル移動体４４はスイッチ切替体取付板６８のスイッチ切替体７０が第３スイッチ７４の接触部７４Ａを押圧することにより、回転シャフトの回転が停止してノズル移動体４４も停止する。
従って、風船購入者は開いた第１ケース片９０と第２ケース片９２を閉じて風船ケース３０の係止部第１部８８Ａと係止部第２部８８Ｂを嵌めて風船ケース３０の指挿通部８２に手の指を入れて掌で把持部８０を握ることができる。
風船購入者が風船１２の風船ケース３０を把持体として手で確実に把持して風船１２を気体注入部２６から取り出すと扉用モーターが逆回転して気体注入部扉２８が閉まる。
この結果、風船購入者は風船ケース３０を把持体として確実に手で把持することができるため、風船本体２４が高く舞い上がって遠くに飛んで行くのを防止することができる（図１２（Ｇ））。
【００３３】
なお、実施例の風船１２においては風船１２を持つ場合に風船ケース３０を把持体として再利用できるので、風船ケース３０をゴミとして廃棄することがない。
また、風船ケース３０を捨てるためのゴミ箱を風船自動販売機１０の周辺に設置する手間や費用を抑えることができる。
【００３４】
なお、実施例では風船ケース３０としてブリスターケースを使用したが、風船ケース３０はブリスターケースに限定されないことは勿論である。
また、実施例ではビニール製の風船本体２４を示したが、風船本体２４はビニール製に限定されるものでなく、アルミ製等の他の素材で製造されたものでもよいことは勿論である。
なお、実施例では風船本体２４に充填する気体としてヘリウムガスを使用したが、風船本体２４に充填される気体はヘリウムガスに限定されないことは勿論である。
【符号の説明】
【００３５】
１０    風船自動販売機
１２    風船
１４    風船ストック部
１６    装置本体収容部
１８    風船排出口
２０    料金投入口
２１    選択決定ボタン
２２    風船サンプルケース部
２４    風船本体
２６    気体注入部
２８    気体注入部扉
３０    風船ケース
３２    表示モニター
３４    ルーフ部
３６    底面板
３８    底面板開口部
４０    気体注入装置
４２    ケーシング
４４    ノズル移動体
４６    ノズル取付部
４８    気体注入ノズル
５０    気体ホース
５１    気体注入センサー
５２    第１スイッチ
５４    バルブロックプレート
５６    ロック開口部
６０    ソレノイド
６２    テーブルプレート
６４    風船ケース挿入開口部
６６    風船ケースガイド筒
６８    スイッチ切替体取付板
７０    スイッチ切替体
７２    第２スイッチ
７４    第３スイッチ
７６    風船バルブ
７８    紐
８０    把持部
８２    指挿通部
８４    風船本体収容部
８６    バルブ挿通部
８８    ケース片係止部
９０    第１ケース片
９２    第２ケース片
【図１】
0003197031.tif 000003
【図２】
0003197031.tif 000004
【図３】
0003197031.tif 000005
【図４】
0003197031.tif 000006
【図５】
0003197031.tif 000007
【図６】
0003197031.tif 000008
【図７】
0003197031.tif 000009
【図８】
0003197031.tif 000010
【図９】
0003197031.tif 000011
【図１０】
0003197031.tif 000012
【図１１】
0003197031.tif 000013
【図１２】
0003197031.tif 000014